【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
通信相手のコンテンツ視聴履歴情報を取得するコンテンツ視聴履歴情報取得手段と、
前記コンテンツ視聴履歴情報取得手段によって取得されたコンテンツ視聴履歴情報を提示するコンテンツ視聴履歴情報提示手段と、
前記コンテンツ視聴履歴情報から前記通信相手の発呼アドレスを決定する発呼アドレス決定手段と、
前記コンテンツ視聴履歴情報提示手段によるコンテンツ視聴履歴情報の提示に対する応答を受けると、前記発呼アドレス決定手段によって決定された前記発呼アドレスに、該コンテンツ視聴履歴情報に関連する履歴関連情報を付加して発呼する発呼手段とを備えることを特徴とする通信装置。
【請求項２】
コンテンツを保持するコンテンツ保持手段と、
通信相手の通信装置にコンテンツを送信するコンテンツ送信手段と、をさらに備え、
前記コンテンツ視聴履歴情報取得手段は、前記コンテンツ送信手段によって送信されたコンテンツのコンテンツ視聴履歴情報を取得することを特徴とする請求項１に記載の通信装置。
【請求項３】
前記コンテンツ視聴履歴情報を保持するコンテンツ視聴履歴情報保持手段をさらに備え、
前記コンテンツ視聴履歴情報提示手段は、前記コンテンツ視聴履歴情報保持手段に保持されたコンテンツ視聴履歴情報を提示することを特徴とする請求項１または２記載の通信装置。
【請求項４】
前記コンテンツ視聴履歴情報取得手段は、取得済みのコンテンツ視聴履歴情報との差分情報のみを取得することを特徴とする請求項１乃至３のいずれか１項に記載の通信装置。
【請求項５】
前記コンテンツ視聴履歴情報提示手段は、前回提示されたコンテンツ視聴履歴情報と新たに取得したコンテンツ視聴履歴情報との差分を提示することを特徴とする請求項１乃至４のいずれか１項に記載の通信装置。
【請求項６】
前記コンテンツ視聴履歴情報提示手段は、所定の最近の期間中のコンテンツ視聴履歴情報のみを提示することを特徴とする請求項１乃至４のいずれか１項に記載の通信装置。
【請求項７】
前記コンテンツ視聴履歴情報提示手段は、前記発呼アドレスを識別する発呼アドレス識別情報を、前記発呼アドレスを決定するのに用いられたコンテンツ視聴履歴情報に関連するコンテンツと関連付けて提示することを特徴とする請求項１乃至６のいずれか１項に記載の通信装置。
【請求項８】
前記コンテンツと関連して提示される発呼アドレス識別情報が複数ある場合に、いずれか１つ、一部、または全部を選択する発呼アドレス選択手段をさらに備え、
前記発呼手段は、前記発呼アドレス選択手段によって選択された発呼アドレスに発呼することを特徴とする請求項７記載の通信装置。
【請求項９】
前記コンテンツは静止画コンテンツであり、
前記コンテンツ視聴履歴情報は、視聴実行、ズームアップ、スライドショー開始、スライドショー一時停止及びスライドショー停止を含む、コンテンツに対する再生制御命令のうち少なくとも１つを含むことを特徴とする請求項１乃至８のいずれか１項に記載の通信装置。
【請求項１０】
前記コンテンツは動画コンテンツであり、
前記コンテンツ視聴履歴情報は、再生開始、一時停止、停止、早送り、巻き戻し及びスロー再生を含む、コンテンツに対する再生制御命令のうち少なくとも１つを含むことを特徴とする請求項１乃至８のいずれか１項に記載の通信装置。
【請求項１１】
前記再生制御命令を含むコンテンツ視聴履歴情報は、関連するコンテンツを前記再生制御命令に関連付ける情報を含むことを特徴とする請求項９または１０に記載の通信装置。
【請求項１２】
通信相手の通信装置からの発呼要求を着呼する着呼手段と、
前記発呼要求に付加されたコンテンツ視聴履歴関連情報を提示するコンテンツ視聴履歴関連情報提示手段とを備えることを特徴とする通信装置。
【請求項１３】
前記コンテンツ視聴履歴関連情報提示手段によるコンテンツ視聴履歴関連情報の提示を、着呼処理と並列的に処理することを特徴とする請求項１２記載の通信装置。
【請求項１４】
前記コンテンツ視聴履歴関連情報の提示方法を指示により切り替えるコンテンツ視聴履歴関連情報提示切替手段をさらに備えることを特徴とする請求項１２または１３に記載の通信装置。
【請求項１５】
前記通信相手の通信装置からコンテンツを受信するコンテンツ受信手段と、
前記コンテンツ受信手段が受信したコンテンツを提示するコンテンツ提示手段と、
前記コンテンツ提示手段によるコンテンツ提示のコンテンツ視聴履歴情報を作成するコンテンツ視聴履歴情報作成手段と、
前記コンテンツ視聴履歴情報作成手段によって作成されたコンテンツ視聴履歴情報を前記通信相手の通信装置に送信するコンテンツ視聴履歴情報送信手段とをさらに備えることを特徴とする請求項１２乃至１４のいずれか１項に記載の通信装置。
【請求項１６】
前記コンテンツ受信手段によって受信したコンテンツをキャッシュするコンテンツキャッシュ手段をさらに備え、
前記コンテンツ視聴履歴関連情報提示手段は、前記コンテンツ視聴履歴関連情報に関連するコンテンツが前記コンテンツキャッシュ手段にキャッシュされている場合、前記コンテンツキャッシュ手段にキャッシュされているコンテンツを提示することを特徴とする請求項１５に記載の通信装置。
【請求項１７】
通信相手の通信装置の通信履歴情報を取得するための通信履歴情報取得アドレスを、前記通信相手を識別する識別子と関連付けて登録する通信アドレス登録ステップと、
前記通信アドレス登録ステップにおいて登録された前記通信履歴情報取得アドレスを用いて通信履歴情報を取得する通信履歴情報取得ステップと、
前記通信履歴情報取得ステップにおいて取得された通信履歴情報を提示する通信履歴情報提示ステップと、
前記通信履歴情報から発呼アドレスを決定する発呼アドレス決定ステップと、
前記通信履歴情報提示ステップにおける通信履歴情報の提示に対する応答を受けると、前記発呼アドレス決定ステップにおいて決定された前記発呼アドレスに、該通信履歴情報に関連する通信履歴関連情報を付加して発呼する発呼ステップとを備えることを特徴とする通信方法。
【請求項１８】
コンテンツを保持するコンテンツ保持ステップと、
通信相手の通信装置にコンテンツを送信するコンテンツ送信ステップと、
前記コンテンツ送信ステップにおいて送信されたコンテンツの視聴の履歴情報を前記通信相手の通信装置から取得するコンテンツ視聴履歴情報取得ステップと、
前記コンテンツ視聴履歴情報取得ステップにおいて取得されたコンテンツ視聴履歴情報を、前記コンテンツ保持ステップにおいて保持されたコンテンツと関連付けて提示するコンテンツ視聴履歴情報提示ステップと、
前記コンテンツ視聴履歴情報から発呼アドレスを決定する発呼アドレス決定ステップと、
前記コンテンツ視聴履歴情報提示ステップにおける提示に対する応答を受けると、前記発呼アドレス決定ステップにおいて決定された発呼アドレスに、該コンテンツ視聴履歴情報に関連するコンテンツ視聴履歴関連情報を付加して発呼する発呼ステップとを備えることを特徴とする通信方法。
【請求項１９】
通信相手の通信装置からの発呼要求を着呼する着呼ステップと、
前記発呼要求に付加されたコンテンツ視聴履歴関連情報を提示するコンテンツ視聴履歴関連情報提示ステップとを備えることを特徴とする通信方法。
【請求項２０】
コンピュータに請求項１７、１８又は１９記載の通信方法を実行させるためのプログラム。
【請求項２１】
通信相手を特定する手段と、
前記特定された通信相手からコンテンツを受信するコンテンツ受信手段と、
前記コンテンツを提示するためのコンテンツ提示手段と、
前記特定された通信相手の発呼アドレスを決定する発呼アドレス決定手段と、
前記コンテンツ提示手段によるコンテンツの提示に対する応答を受けると、前記発
呼アドレス決定手段によって決定された前記発呼アドレスに、前記応答を受けたコンテンツの関連情報を付加して発呼する発呼手段とを備えることを特徴とする通信装置。